(57)【要約】【課題】充電中の通話やＷｅｂの閲覧による携帯無線通信端末自体の発熱を、携帯無線通信端末のみで抑えることを可能にする。【解決手段】無線送信を行う送信部と、前記送信部を含む各部に電力を供給する電池と、前記電池の充電を行う充電回路部と、を備えた携帯通信端末において、前記送信部の動作状態を検出する検出部と、前記検出部による検出結果に基づいて前記充電回路部の動作を制御する制御部とを備えたことを特徴とする。【選択図】図１
2007104227.tif 000002
【特許請求の範囲】
【請求項１】
無線送信を行う送信部と、前記送信部を含む各部に電力を供給する電池と、前記電池の充電を行う充電回路部と、を備えた携帯無線通信端末において、
前記送信部の動作状態に基づいて前記充電回路部の動作を制御する制御部と、
を備えたことを特徴とする携帯無線通信端末。
【請求項２】
前記制御部は、前記送信部が動作停止状態である場合、前記充電回路部に、充電動作を行わせることを特徴とする請求項１に記載の携帯無線通信端末。
【請求項３】
前記制御部は、前記送信部が動作中である場合、前記充電回路部に、充電動作を停止させることを特徴とする請求項１又は２に記載の携帯無線通信端末。
【請求項４】
前記送信部の動作電力が、前記所定値より高いか否かを判定する判定手段を有し、
前記制御部は、前記判定手段による判定結果に基づいて前記充電回路部の動作を制御することを特徴とする請求項１に記載の携帯無線通信端末。
【請求項５】
前記制御部は、前記判定手段による判定の結果、前記送信部の動作電力が、前記所定値より低いと判定すると、前記充電回路部に、充電動作を行わせることを特徴とする請求項４に記載の携帯無線通信端末。
【請求項６】
前記制御部は、前記判定手段による判定の結果、前記送信部の動作電力が、前記所定値より高いと判定すると、前記充電回路部は、充電動作を停止させることを特徴とする請求項４又は５に記載の携帯無線通信端末。
【発明の詳細な説明】
【技術分野】
【０００１】
本発明は、二次電池を電源とする携帯無線通信端末に関する。
【背景技術】
【０００２】
近年、携帯電話や無線通信機能付き携帯情報端末等の携帯無線通信端末では、高機能化が進んでおり、高速通信機能を搭載し、ｗｅｂの閲覧などが出来るものも多くなってきている。従って、このような携帯電話や無線通信機能付き携帯情報端末では、充電しながらＷｅｂを閲覧するという使用状態が考えられる。また、携帯電話では、充電中に着信があることもある。
【０００３】
ｗｅｂの閲覧では、サイトへのアクセス時や閲覧ページの切り替え時に電波が出力され、着信時には応答信号を出力する際に電波が出力される。また、ハンズフリー通話機能やテレビ電話機能を備えた携帯電話では、着信があったときに、携帯電話を充電台から取り外すこと無しにそのまま通話に入ることもあり、通話中に電波が出力される。
【０００４】
電波の出力は、無線回路部（厳密には、送信回路部）のＰＡ（Ｐｏｗｅｒ  Ａｍｐ．）を介して行われるので、無線回路部では、電波の出力時（信号の送信時）に発熱量が大きくなる。又、充電回路や電池に関しても、充電時に大きな電流が流れることから発熱量も大きい。
【０００５】
従って、無線回路部及び充電回路部を有する携帯無線通信端末において、上記のように充電中に電波を出力しなければならない事態が生じると、発熱量が大幅に増加し、筐体の温度が大幅に上昇するという問題がある。
【０００６】
従来、このような問題を解決するために、移動無線電話（携帯電話）にＡＣアダプタを接続して充電しているときに（照明回路や）無線部が作動すると、移動無線電話（携帯電話）からＡＣアダプタに信号を出力して、ＡＣアダプタの出力電圧が低くなるように制御し、移動無線電話（携帯電話）の充電制御回路が筐体を通して体感するほどの発熱にならないようにしたものがある（特許文献１参照）。
【特許文献１】特開２００２−２１８０２６号公報
【発明の開示】
【発明が解決しようとする課題】
【０００７】
しかし、特許文献１の技術は、移動電話装置からＡＣアダプタに、ＡＣアダプタの出力電圧を低くさせるための制御信号を出力する構成であるので、ＡＣアダプタと接続するための端子数が増え、端子板やコネクタのような接続部品のコストがアップするとともに、移動電話装置からの制御信号に基づいて出力電圧を制御するための回路が追加された高価なＡＣアダプタを使用しなければならない、という不都合がある。
【０００８】
本発明の課題は、充電中の通話やＷｅｂの閲覧による携帯無線通信端末自体の発熱を、携帯無線通信端末のみで抑えることを可能にすることである。
【課題を解決するための手段】
【０００９】
上記課題を解決するために、請求項１に記載の発明は、無線送信を行う送信部と、前記送信部を含む各部に電力を供給する電池と、前記電池の充電を行う充電回路部とを備えた携帯無線通信端末において、前記送信部の動作状態に基づいて前記充電回路部の動作を制御する制御部とを備えたことを特徴としている。
【００１０】
請求項２に記載の発明は、請求項１に記載の携帯無線通信端末において、前記制御部は、前記送信部が動作停止状態である場合、前記充電回路部に、充電動作を行わせることを特徴としている。
【００１１】
請求項３に記載の発明は、請求項１又は２に記載の携帯無線通信端末において、前記制御部は、前記送信部が動作中である場合、前記充電回路部に、充電動作を停止させることを特徴としている。
【００１２】
請求項４に記載の発明は、請求項１に記載の携帯無線通信端末において、前記送信部の動作電力が、所定値より高いか否かを判定する判定手段を有し、前記制御部は、前記判定手段による判定結果に基づいて前記充電回路部の動作を制御することを特徴としている。
【００１３】
請求項５に記載の発明は、請求項４に記載の携帯無線通信端末において、前記制御部は、前記判定手段による判定の結果、前記送信部の動作電力が、前記所定値より低いと判定すると、前記充電回路部に、充電動作を行わせることを特徴としている。
【００１４】
請求項６に記載の発明は、請求項４又は５に記載の携帯無線通信端末において、前記制御部は、前記判定手段による判定の結果、前記送信部の動作電力が、前記所定値より高いと判定すると、前記充電回路部は、充電動作を停止させることを特徴としている。
【発明の効果】
【００１５】
請求項１から３の発明によれば、送信部の動作状態に基づいて充電回路部の制御を行うことにより、携帯無線通信端末が使用中の時は充電を停止させることができる。このことにより、充電中に携帯無線通信端末の使用による送信部への電力供給を抑えることができ、携帯無線通信端末の過度な温度上昇を回避することが可能となる。
【００１６】
請求項４から６の発明によれば、携帯無線通信端末の使用時に、送信部が必要とする電力値が所定値より高いか否かを判定することにより充電回路部の制御を行うため、送信部の使用電力値が所定値より低ければ、携帯無線通信端末使用時に充電を行うことができる。従って、過度な温度上昇による携帯無線通信端末自体の発熱を防止することができるだけでなく、充電中に通話があった場合にかかる充電時間を短縮することが可能となる。
【発明を実施するための最良の形態】
【００１７】
以下、図面を参照して、本発明の実施形態について詳細に説明する。
【００１８】
まず、図１に、本発明の実施形態に係る携帯無線通信端末装置１０の構成を示すブロック図を示す。携帯無線通信端末装置１０は、送受信部（無線回路部）１、制御部２、ＲＯＭ（Ｒｅａｄ  Ｏｎｌｙ  Ｍｅｍｏｒｙ）４、ＲＡＭ（Ｒａｎｄｏｍ  Ａｃｃｅｓｓ  Ｍｅｍｏｒｙ）５、表示部６、記憶部７、入力部８、電源回路部９、充電回路２０などにより構成され、さらに、アンテナ３０及び電池４０を有する。
【００１９】
送受信部（無線回路部）１は、アンテナ３０に接続された分波器１１と、分波器１１を介して供給されるアンテナ３０での受信信号をデジタル信号に変換して制御部１へ供給する受信回路部１２と、制御部１から供給される送信信号を送信帯域の信号に変換する送信回路部１３と、送信回路部１３からの供給される送信信号を電力増幅し、分波器１１を介してアンテナ３０へ供給するパワーアンプ１４とを有する。
【００２０】
制御部２は、ＣＰＵ（Ｃｅｎｔｒａｌ  Ｐｒｏｃｅｓｓｉｎｇ  Ｕｎｉｔ）３を有する。ＣＰＵ３は、入力される指示に応じて所定のプログラムに基づいた処理を実行し、各機能部への指示やデータの転送を行う中央演算装置である。すなわちＣＰＵ３は、例えば、入力部８から入力されるキー操作信号に応じて、ＲＯＭ４に格納されたプログラムを読み出し、当該プログラムに従った処理を実行する。そして、その処理結果を表示部６に表示させる。また、携帯無線通信端末装置１０に装着されている電池４０の電池残量が少なくなった旨がＣＰＵ３へ入力されると、ＣＰＵ３は充電を促す情報を表示部６に表示し、各部の動作を制御する。また、制御部２は、パワーアンプ１４（後述）の動作状態を検出する検出部としても動作する。
【００２１】
ＲＯＭ４は、携帯無線通信端末装置１０の動作に必要なプログラムの実行に係るデータを格納する。例えば、入力信号処理の制御プログラムを格納している。その他ＲＯＭに格納される各種プログラムは、何れも書き換える必要のないプログラムや、書き換えてはいけないプログラムである。
【００２２】
ＲＡＭ５は、ＣＰＵ３によって実行される各種プログラムをプログラム格納エリアに展開する。また、ＲＡＭ５は、各種プログラムの実行時に生じる処理結果等のデータをワークエリアに一時的に記憶する。
【００２３】
表示部６は、ＬＣＤ（Ｌｉｑｕｉｄ  Ｃｕｙｓｔａｌ  Ｄｉｓｐｌａｙ）等の表示画面を備え、多くの操作はこの表示画面の表示を基に実行される。例えば、ユーザデータである電話帳情報、メールの作成、受信したメールの発信者情報等が表示される。
【００２４】
記憶部７は、プログラムやデータ等が予め記憶されている記録媒体（図示省略）を有しており、この記録媒体は、磁気的、光学的記録媒体もしくは半導体メモリで構成されおり、電子手帳等のメモリ機能に電話番号やメールアドレス等のユーザデータを記憶する。制御部２からの信号により、それらのデータを制御部２のＣＰＵ３へ出力する。
【００２５】
入力部８は、各種機能キーを備え、キーの押下操作に対応する操作信号をＣＰＵ３に出力する。例えば、メールの作成操作及び作成したメールの送信指示や、電話帳登録操作、Ｗｅｂの閲覧等の操作信号が入力されると、その信号をＣＰＵ３に出力することにより各種指示を行う。
【００２６】
電源回路部９は、電池４０に接続され、携帯無線通信端末装置１０の各回路部へそれぞれが必要とする電圧を供給するための回路部であり、充電回路部２０は、携帯無線通信端末装置１０に装着された状態にある電池４０を充電するための回路である。なお、充電回路部２０の詳細については、後述する。
【００２７】
図１に示した上記回路構成は、当該携帯無線通信端末装置１０がデータ通信機能のみを備えた携帯無線通信端末装置（例えば、無線通信機能付き携帯情報端末）の回路構成を示したもので、入力部８を操作してメールを作成した後、メールの送信を指示した場合には、作成したメールが送信回路部１３及びパワーアンプ１４を含む送信部及びアンテナ３０を介して中継局に送信され、メールヘッダで指定されるメールサーバへ送信される。また、Ｗｅｂの閲覧操作指示されると、例えばポータルサイトとして設定しているサイトのＵＲＬ（Uniform Resource Locator）が送信回路部１３及びパワーアンプ１４を含む送信部及びアンテナ３０を介して中継局に送信されて、指定したサイトに接続され、そのサイトのｗｅｂページを閲覧することができる。
【００２８】
従って、入力部８から所望の電話番号を入力して発信を指示することにより、入力した電話番号が送信回路部１３及びパワーアンプ１４を含む送信部及びアンテナ３０を介して中継局に送信され、相手方とつながると通話が可能となる。
【００２９】
次に、充電回路部２０の詳細な構成及び動作について説明する。図１に示すように、充電回路部２０は、充電制御回路２１、ＡＣアダプタ検出回路２２、逆流防止ダイオード２３（ショットキーバリアダイオード）、充電制御トランジスタ２４、電圧変換アンプ２５、充電電流検出用抵抗２６、電圧変換アンプ２７、Ａ／Ｄ変換器２８により構成される。
【００３０】
ＡＣアダプタ検出回路２２は、ＡＣアダプタ５０及び制御部２に接続され、ＡＣアダプタ５０の電圧を検出して、その検出信号をＡＣアダプタ５０の接続の有無を表す信号として制御部２に出力する回路である。
【００３１】
充電制御回路２１は、制御部２及び充電制御トランジスタ２４に接続され、制御部２より充電動作の切換え信号（オン或いはオフ信号）が出力されると、その信号に基づいて充電制御トランジスタ２４をオン・オフ制御する回路である。この充電制御回路２１により制御される、充電制御トランジスタ２４には、逆流防止ダイオード２３が接続され、逆方向へ電流が流れてしまうことを防止する。つまり、電池４０側からＡＣアダプタ５０側へ電流が流れてしまうことを防止する。
【００３２】
充電電流検出用抵抗２６は、ＡＣアダプタ５０から逆流防止ダイオード２３及び充電制御トランジスタ２４を介して電池４０側へ流れる充電電流値を検出するための抵抗である。この充電電流検出用抵抗２６の両端の電位差は、電圧変換アンプ２５を介してＡ／Ｄ変換器２８へ入力され、Ａ／Ｄ変換器２８によりデジタル変換された後、制御部２へ入力される。
【００３３】
電圧変換アンプ２７は、電池４０の電池電圧をＡ／Ｄ変換器２８へ出力し、Ａ／Ｄ変換器２８は、電圧変換アンプ２７を介して入力された電圧をデジタル変換した後、制御部２へ出力する。
【００３４】
携帯無線通信端末装置１０の電池４０を充電するために、ＡＣアダプタ５０が接続されると、ＡＣアダプタ検出回路２２は携帯無線通信端末装置１０がＡＣアダプタ５０へ接続されたことを検出し、その検出信号を制御部２へ出力する。制御部２は、ＡＣアダプタ検出回路２２からその信号が入力されると、送信回路部１３のパワーアンプ１４の動作状態を確認する。そして、パワーアンプ１４の動作状態の確認結果に基づいて、充電制御回路２１の制御を実行する。つまり、制御部２は、電池４０があり、且つＡＣアダプタ５０が接続されているだけではなく、パワーアンプ１４の動作状態が所定の状態にあると判断した場合のみ、例えば、パワーアンプ１４がＯＦＦの状態である判断した場合のみ充電を開始させる制御を実行する。
【００３５】
制御部２は、例えば、パワーアンプ１４がＯＦＦの状態であること、つまり、送信部が動作しておらず、電波が出力されていないことを確認すると、充電制御回路２１に対して充電動作を開始させるための制御信号を入力する。なお、制御部１は、データ通信や通話の制御を行っているので、非通信中は勿論のこと、通話やＷｅｂの閲覧が行われているときであっても、電波が出力されているか否かの確認は、制御部１自体で可能である。充電制御回路２１は、制御部２から充電動作を開始させるための制御信号が入力されると、充電制御トランジスタ２４をＯＮし、ＡＣアダプタ５０から電池４０への電流供給を開始する。電流供給が開始されると、制御部２は、充電電流検出用抵抗２６の両端の電位差を、電圧変換アンプ２５及びＡ／Ｄ変換器２８を介して読み出し、また、電池４０の電圧を電圧変換アンプ２７及びＡ／Ｄ変換器２８を介して読み出す。この充電電流検出用抵抗２６の両端の電位差及び電池４０の電圧の読み出しは定期的に実行され、制御部２は、これらにより電池４０への充電状態を監視する。なお、制御部２は、この充電状態監視処理において、充電電流検出用抵抗２６の両端の電位差を読み出す際には、Ａ／Ｄ変換器２８に対して入力を電圧変換アンプ２５側に切換える信号を入力し、電池電圧を読み出す際には、Ａ／Ｄ変換器２８に対して入力を電圧変換アンプ２７側に切換える信号を入力する。なお、制御部２は、ＡＣアダプタ５０が携帯無線通信端末装置１０に接続されていない通常状態（非充電状態）では、Ａ／Ｄ変換器２８に対して入力を電圧変換アンプ２７側に切換える信号を入力し、電池電圧を定期的に読み出している。
【００３６】
制御部２は、充電動作を開始した後、充電状態監視処理により、充電が完了したことを確認すると、充電停止の制御を行う。この制御処理は、電流検出用抵抗２６の両端の電位差が、予め設定されるある一定値以下（つまり、充電電流が所定値以下）になったことを制御部２が検出することにより実行される。また、ＡＣアダプタ５０が外された場合も、その旨を通知するための信号が、ＡＣアダプタ検出回路２２から入力されることにより充電停止の処理が実行される。
【００３７】
なお、充電中に、制御部２が、パワーアンプ１４がＯＮの状態であること、つまり、送信部が動作しており、電波を出力していることを確認すると、充電制御回路２１に対して充電動作を停止させるための制御信号を入力する。
【００３８】
次に、図２（ａ）のフローチャートを参照して、本実施形態に係る携帯無線通信端末装置１０で実行される処理について説明する。
【００３９】
本実施形態に係る携帯無線通信端末装置１０では、制御部２は、ＡＣアダプタ５０及び電池４０の有無を検出して、ＡＣアダプタ５０及び電池４０が有ると判断した場合のみ充電を開始する。なお、制御部２によるＡＣアダプタ５０の有無の検出は、ＡＣアダプタ検出回路２２からの信号を読み取ることにより実行され、また、電池４０の有無の検出は、電圧変換アンプ２７及びＡ／Ｄ変換器２８を介して電池電圧を読み取ることにより実行される。
【００４０】
電池４０への充電が開始されると（ステップＳ１）、まず、パワーアンプ１４がＯＮの状態であるか否か、つまり、送信中であるか否かを判定する（ステップＳ２）。ステップＳ２において、パワーアンプ１４がＯＮ状態であると判定すると（ステップＳ２；ＹＥＳ）、充電回路部２０をＯＦＦにする制御を実行し、電池４０への充電を停止させる（ステップＳ４）。充電回路をＯＦＦにする制御処理は、充電回路部２０の充電制御回路２１を介して充電制御トランジスタ２４をＯＦＦに制御することにより実行する。そして、ステップＳ２に戻り、再度、Ｓ２の判定を繰り返す。
【００４１】
ステップＳ２において、パワーアンプ１４がＯＦＦ状態であると判定すると（ステップＳ２；ＮＯ）、充電回路部２０をＯＮにする制御をし、充電を開始させる（ステップＳ３）。充電回路部２０をＯＮにする制御処理は、充電回路部２０をＯＦＦにする制御処理と逆であり、充電回路部２０の充電制御回路２１を介して充電制御トランジスタ２４をＯＮに制御することにより実行する。
【００４２】
ステップＳ３において、充電回路部２０をＯＮに制御することにより充電を開始させた後は、電圧変換アンプ２５及びＡ／Ｄ変換器２８を介して読み出した充電電流検出用抵抗２６の両端の電位差に基づいて、電池４０が満充電になったか否かを判定する（ステップＳ５）。ステップＳ５において、電池４０が満充電ではない（充電電流検出用抵抗２６の両端の電位差が所定値以上）と判定すると（ステップＳ５；ＮＯ）、ステップＳ２に戻り、再度、ステップＳ２〜Ｓ５の処理を繰り返す。ステップＳ５において、電池４０が満充電になった（充電電流検出用抵抗２６の両端の電位差が所定値未満）と判定すると（ステップＳ５；ＹＥＳ）、充電回路をＯＦＦにして（ステップＳ６）、充電を終了する（ステップＳ７）。
【００４３】
図２（ｂ）に、パワーアンプ１４と充電回路部２０の制御動作を示すタイミングチャートを示す。このタイミングチャートは、携帯無線通信端末装置１０にＡＣアダプタ５０が接続され、充電可能状態である場合の動作を示したものである。パワーアンプ１４がＯＮの状態である時、つまり、携帯無線通信端末装置１０が送信状態である時、制御部２がその旨を検出すると、制御部２は、充電回路部２０をＯＦＦにする制御処理を実行する。従って、携帯無線通信端末装置１０が送信状態である場合は、常に、充電回路部２０がＯＦＦに制御された状態であり、送信中は充電が停止される。そして、携帯無線通信端末装置１０による送信が終了し、パワーアンプ１４がＯＦＦの状態となると、充電が再開される。この動作は携帯無線通信端末装置１０が通話中の場合に限らず、携帯無線通信端末装置１０によりＷｅｂの閲覧をする場合にも同様に実行される。
【００４４】
以上のように、携帯無線通信端末装置１０の充電中に通話やＷｅｂの閲覧等、送信回路部１３を動作する際は、充電を停止させることにより、充電中に送信回路部１３へ電波を出力しなければならないことによる大幅な電力供給の必要がなくなる。そのため、大幅な電力供給による携帯無線通信端末装置１０の筐体の大幅な温度上昇を回避することが可能となる。従って、ユーザは、充電中でも携帯無線通信端末装置１０自体の発熱を気にすることなく、気軽に通話やＷｅｂの閲覧をすることができる。また、携帯無線通信端末装置１０のみで、この制御を実行できるため、別の高価なＡＣアダプタを製造する必要はなく、コストを増加させることなく、問題の回避が可能である。
【００４５】
〔変形例〕
次に、本実施形態に係る携帯無線通信端末装置１０の変形例について説明する。この変形例に係る携帯無線通信端末装置１０の構成は、図１と同様であるため、図示及び説明は省略する。
【００４６】
変形例に係る携帯無線通信端末装置１０は、充電中に通話やＷｅｂの閲覧がされる場合に、完全に充電を停止させるのではなく、通話やＷｅｂの閲覧などで、送信部が送信に要する送信電力の値が所定値よりも低い時には、充電を継続させるという制御を実行するものである。この送信電力の所定値は、送信電力により発熱する発熱量が、例えば、充電中に充電による発熱で筐体の温度が最も高くなっているときに、送信による発熱が加わった際に、筐体の温度が許容範囲内（ユーザがあまり気にならない温度）での最高温度となるときの送信電力の値（以下、閾値）であり、予め設定されている。そして、設定した閾値以上でパワーアンプ１４がＯＮの状態である場合には、充電回路部２０をＯＦＦに制御処理することにより充電を停止させる。設定した閾値以下でパワーアンプ１４がＯＮの状態である場合には、充電回路部２０はＯＦＦに制御せず、充電回路２０をＯＮに制御し、充電を継続させる。
【００４７】
図３（ａ）のフローチャートを参照して、変形例に係る携帯無線通信端末装置１０で実行される処理について説明する。
【００４８】
変形例に係る携帯無線通信端末装置１０の制御部２は、ＡＣアダプタ５０及び電池４０の有無を検出して、ＡＣアダプタ５０及び電池４０が有ると判断した場合のみ充電を開始する。制御部２によるＡＣアダプタ５０の有無の検出は、ＡＣアダプタ検出回路２２からの信号を読み取ることにより実行され、また、電池４０の有無の検出は、電圧変換アンプ２７及びＡ／Ｄ変換器２８を介して電池電圧を読み取ることにより実行される。電池４０への充電が開始されると（ステップＰ１）、まず、パワーアンプ１４がＯＮ状態であるか否か、つまり、送信中であるか否かを判定する（ステップＰ２）。ステップＰ２において、パワーアンプ１４がＯＮの状態であると判定すると（ステップＰ２；ＹＥＳ）、パワーアンプ１４の送信電力量が予め設定した閾値よりも高いか否かを判定する（ステップＰ３）。ステップＰ３において、パワーアンプ１４の送信電力量が予め設定した閾値よりも高いと判定すると（ステップＰ３；ＹＥＳ）、充電回路部２０をＯＦＦの状態に制御し、１４への充電を停止する（ステップＰ４）。充電回路部２０をＯＦＦにする制御処理は、実施形態と同様であるため、説明は省略する。
【００４９】
ステップＰ３において、パワーアンプ１４の送信電力量が、予め設定した閾値よりも高くないと判定する（ステップＰ３；ＮＯ）又はステップＰ２において、パワーアンプ１４がＯＮの状態ではないと判定すると（ステップＰ２；ＮＯ）、充電回路部２０をＯＮに制御することにより充電を開始する（ステップＰ５）。つまり、充電中に送信回路部１３による動作が実行されても、その動作に必要な電力供給量が設定値よりも低い場合は、充電回路部２０をＯＦＦにする制御を行わない。従って、電池４０への充電を継続しながら、送信回路部１３による動作、つまり、通話やＷｅｂの閲覧をできる制御を行う。
【００５０】
ステップＰ３において、パワーアンプ１４の送信電力量が、予め設定した閾値よりも高いと判定すると（ステップＰ３；ＹＥＳ）、充電回路部２０をＯＦＦにする制御を行い、電池４０への充電を停止する（ステップＰ４）。充電回路部２０をＯＦＦにする処理は、実施形態と同様であるため、説明は省略する。ステップＰ４において、充電回路部２０をＯＦＦにすると、ステップＰ２に戻り、再度、ステップＰ２〜Ｐ３の処理を繰り返す。
【００５１】
ステップＰ５において、充電回路部２０をＯＮに制御することにより充電を開始すると、電池４０が満充電になったか否かを判定する（ステップＰ６）。ステップＰ６において、電池４０が満充電ではないと判定すると（ステップＰ６；ＮＯ）、ステップＰ２に戻り、再度、ステップＰ２〜Ｐ６の処理を繰り返す。ステップＰ６において、電池４０が満充電になったと判定すると（ステップＰ６；ＹＥＳ）、充電回路部２０をＯＦＦにする制御を行い（ステップＰ７）、充電を終了する（ステップＰ８）。
【００５２】
図３（ｂ）に、変形例に係る携帯無線通信端末装置１０について、パワーアンプ１４と充電回路部２０の制御動作を示すタイミングチャートを示す。このタイミングチャートは、携帯無線通信端末装置１０にＡＣアダプタ５０が接続され、充電可能状態である場合の動作を示す。
【００５３】
パワーアンプ１４がＯＮの状態である時、つまり、携帯無線通信端末装置１０が通話状態である時、制御部２がその旨を検出すると、制御部２は、その送信回路部１３に要する送信電力量が、予め設定されている閾値以下である場合には、充電回路部２０をＯＦＦにしない。従って、図３（ｂ）に示すように、電池４０への充電を継続する。そして、送信回路部１３に要する送信電力量が、予め設定されている閾値以上である場合には、充電回路部２０をＯＦＦの状態に制御され、通話中は充電が停止される。そして、携帯無線通信端末装置１０による通話が終了し、パワーアンプ１４がＯＦＦの状態となると、充電が再開される。この動作は携帯無線通信端末装置１０が通話中の時に限らず、携帯無線通信端末装置１０によりＷｅｂの閲覧をする場合にも同様に実行される。
【００５４】
以上のように、携帯無線通信端末装置１０電池４０の充電中に通話やＷｅｂの閲覧など、送信部を動作する際は、充電を完全に停止させるのではなく、予め閾値を設定し、その電圧値以下である場合には充電を継続させることにより、充電が停止される回数及び期間を減らすことができ、充電時間の短縮が可能となる。また、設定された閾値以上で携帯無線通信端末装置１０が動作している際には、充電を停止するため、携帯無線通信端末装置１０自体の大幅な温度上昇の回避も合わせて可能となる。従って、ユーザは、充電中でも携帯無線通信端末装置１０自体の発熱を気にすることなく、通話やＷｅｂの閲覧を楽しむことができるだけでなく、それらの操作によって充電がなかなか完了しないという問題も解消できる。
【００５５】
なお、本実施形態においては、携帯無線通信端末装置１０による構成としたがこれに限られず、無線通信機能付きの携帯情報端末等の携帯通信端末を含み、同様の効果を得ることが可能である。
【図面の簡単な説明】
【００５６】
【図１】本実施形態に係る携帯無線通信端末装置の構成を示すブロック図である。
【図２】本実施形態に係る携帯無線通信端末装置で実行される処理を示すフローチャート及びタイミングチャートである。
【図３】変形例に係る携帯無線通信端末装置で実行される処理を示すフローチャート及びタイミングチャートである。
【符号の説明】
【００５７】
１  送受信部（無線回路部）
２  制御部
３  ＣＰＵ
４  ＲＯＭ
５  ＲＡＭ
６  表示部
７  記憶部
８  入力部
９  電源回路部
１０  携帯無線通信端末装置
１１  分波器
１２  受信回路部
１３  送信回路部
１４  パワーアンプ
２０  充電回路部
２１  充電制御回路
２２  ＡＣアダプタ検出回路
２３  逆流防止ダイオード
２４  充電制御トランジスタ
２５、２７  電圧変換アンプ
２６  充電電流検出用抵抗
２８  Ａ／Ｄ変換器
３０  アンテナ
４０  電池
５０  ＡＣアダプタ
【図１】
2007104227.tif 000003
【図２】
2007104227.tif 000004
【図３】
2007104227.tif 000005